(57)【特許請求の範囲】
【請求項１】
折り畳んだエアバッグ（２１，４８，７８）の開口部周縁が固定されるリテーナ（１９，４３，７５）の内部にインフレータ（２０，５０，８０）を収納し、車両の衝突時に前記インフレータ（２０，５０，８０）が発生するガスで膨張するエアバッグ（２１，４８，７８）を展開して乗員を拘束するエアバッグ装置において、
前記リテーナ（１９，４３，７５）に形成されたベントホール（２９）と、
アクチュエータ（３１，３７，５３）により作動して前記ベントホール（２９）を開閉する制御弁（３０）と、
前記インフレータ（２０，５０，８０）の点火後に、前記ベントホール（２９）の開度を小さな値に抑えた後に開度を大きな値へと増加させ、所定時間だけ前記大きな開度を保持した後に開度を減少させて小さい値に抑える開度パターンで前記制御弁（３０）を駆動制御する制御手段（３４）と、
を備えたことを特徴とするエアバッグ装置。
【請求項２】
乗員の状態を検出する乗員状態検出手段（３５ｂ）を備えてなり、前記制御手段（３４）は前記乗員状態検出手段（３５ｂ）で検出した乗員の状態に応じて所定の開度パターンを選択することを特徴とする、請求項１に記載のエアバッグ装置。
【請求項３】
車速を検出する車速検出手段（３５ｃ）を備えてなり、前記制御手段（３４）は前記車速検出手段（３５ｃ）で検出した車速が大きい場合に所定の開度パターンを選択することを特徴とする、請求項１に記載のエアバッグ装置。
【請求項４】
前記アクチュエータ（３１）は圧電素子であることを特徴とする、請求項１に記載のエアバッグ装置。
【請求項５】
前記アクチュエータ（３１）は前記ベントホール（２９）を覆うように配置されて一端が前記リテーナ（１９，４３，７５）に固定された板状の圧電素子であることを特徴とする、請求項４に記載のエアバッグ装置。
【請求項６】
前記リテーナ（１９，４３）は複数のベントホール（２９）を備えるとともに前記制御弁（３０）は前記複数のベントホール（２９）にそれぞれ対応する複数の開口（３６１  ，５１１  ，５２１  ）が形成された弁板（３６，５１，５２）を備えてなり、前記アクチュエータ（３７，５３）は前記弁板（３６，５１，５２）を前記リテーナ（１９，４３）に沿って摺動させて前記複数の開口（３６１  ，５１１  ，５２１  ）を前記複数のベントホール（２９）に対向させることを特徴とする、請求項１に記載のエアバッグ装置。
【請求項７】
前記複数のベントホール（２９）は円周方向に配置されており、前記弁板（３６，５１）は前記アクチュエータ（３７）で往復回転駆動されることを特徴とする、請求項６に記載のエアバッグ装置。
【請求項８】
前記複数のベントホール（２９）は直線方向に配置されており、前記弁板（５２）は前記アクチュエータ（５３）で往復直線駆動されることを特徴とする、請求項６に記載のエアバッグ装置。
【発明の詳細な説明】
【０００１】
【発明の属する技術分野】
本発明は、折り畳んだエアバッグの開口部周縁が固定されるリテーナの内部にインフレータを収納し、車両の衝突時に前記インフレータが発生するガスで膨張するエアバッグを展開して乗員を拘束するエアバッグ装置に関する。
【０００２】
【従来の技術】
従来のエアバッグ装置は、インフレータが発生するガスで膨張するエアバッグにベントホールを設け、前記ガスの一部をベントホールから排出してエアバッグの内圧を制御している。かかるエアバッグ装置において、ベントホールを薄膜で閉鎖しておくことにより展開の初期にエアバッグを速やかに膨張させるとともに、展開が完了してエアバッグの内圧が高まると前記薄膜が破断し、ベントホールからガスを排出して乗員を柔らかく拘束するものが提案されている（実公平５−６２０６号公報参照）。
【０００３】
またエアバッグ装置に２個のインフレータを設けておき、エアバッグ装置の近傍に乗員が存在しない場合には２個のインフレータを両方とも点火し、エアバッグ装置の近傍に乗員が存在する場合には１個のインフレータだけを点火することにより、エアバッグの展開速度および内圧を乗員の位置に応じて制御するものが提案されている（特開平９−３０１１１５号公報参照）。
【０００４】
【発明が解決しようとする課題】
ところで、上記実公平５−６２０６号公報に記載されたものは、薄膜が破断する圧力にバラツキが発生し易いため、エアバッグの内圧が所定値に達したときにベントホールを的確に開放するのが難しいだけでなく、一旦開放したベントホールを再び閉じることができないので内圧の精密な制御が難しいという問題があった。また上記特開平９−３０１１１５号公報に記載されたものは、２個のインフレータを必要とするために部品点数が増加してコストアップの要因になるだけでなく、エアバッグの展開特性を２段階にしか制御できないためにきめ細かい制御が難しいという問題があった。
【０００５】
本発明は前述の事情に鑑みてなされたもので、エアバッグの展開時にベントホールから排出されるガス量を任意に制御してエアバッグの乗員拘束性能を高めることを目的とする。
【０００６】
【課題を解決するための手段】
上記目的を達成するために、請求項１に記載された発明は、折り畳んだエアバッグの開口部周縁が固定されるリテーナの内部にインフレータを収納し、車両の衝突時に前記インフレータが発生するガスで膨張するエアバッグを展開して乗員を拘束するエアバッグ装置において、前記リテーナに形成されたベントホールと、アクチュエータにより作動して前記ベントホールを開閉する制御弁と、前記インフレータの点火後に、前記ベントホールの開度を小さな値に抑えた後に開度を大きな値へと増加させ、所定時間だけ前記大きな開度を保持した後に開度を減少させて小さい値に抑える開度パターンで前記制御弁を駆動制御する制御手段とを備えたことを特徴とする。
【０００７】
上記構成によれば、制御手段からの指令によりアクチュエータで制御弁を開閉駆動し、インフレータの点火後にベントホールの開度を小さな値に抑えることで、エアバッグからガスが排出され難くして衝突の慣性で前進する乗員がエアバッグを押し始める初期の拘束荷重を高め、続いてベントホールの開度を大きな値へと増加させた後に所定時間だけ前記大きな開度を保持することで、乗員がエアバッグから受ける拘束荷重の最大値を低減して乗員を柔らかく拘束し、続いてベントホールの開度を減少させて小さい値に抑えることで、エアバッグからガスが排出され難くしてエアバッグが早期に収縮するのを防止し、乗員がステアリングホイール、ダッシュボード、センターピラー等に二次衝突する衝撃を充分に緩和することができる。
【０００８】
また請求項２に記載された発明は、請求項１の構成に加えて、乗員の状態を検出する乗員状態検出手段を備えてなり、前記制御手段は前記乗員状態検出手段で検出した乗員の状態に応じて所定の開度パターンを選択することを特徴とする。
【０００９】
上記構成によれば、乗員の状態に応じた開度パターンでベントホールの開度を制御することができるので、エアバッグの展開状態を乗員の体重の大小や着座状態の変化に対応して最適に設定することができる。
【００１０】
また請求項３に記載された発明は、請求項１の構成に加えて、車速を検出する車速検出手段を備えてなり、前記制御手段は前記車速検出手段で検出した車速が大きい場合に所定の開度パターンを選択することを特徴とする。
【００１１】
上記構成によれば、車速が大きい場合に所定の開度パターンを選択するので、乗員を確実に拘束することが必要な高車速時にエアバッグの展開状態を最適に設定することができる。
【００１２】
また請求項４に記載された発明は、請求項１の構成に加えて、前記アクチュエータは圧電素子であることを特徴とする。
【００１３】
上記構成によれば、アクチュエータを圧電素子で構成することにより、モータやソレノイド等の他のアクチュエータに比べて部品点数の少ない簡単な構造で、かつ低コストでベントホールを開閉駆動することができる。
【００１４】
また請求項５に記載された発明は、請求項４の構成に加えて、前記アクチュエータは前記ベントホールを覆うように配置されて一端が前記リテーナに固定された板状の圧電素子であることを特徴とする。
【００１５】
上記構成によれば、板状の圧電素子でアクチュエータを構成することにより、そのアクチュエータの構造が極めて単純になるだけでなく、圧電素子そのものを弁体として利用することが可能となり、部品点数の一層の削減とコストの一層の削減とが可能となる。
【００１６】
また請求項６に記載された発明は、請求項１の構成に加えて、前記リテーナは複数のベントホールを備えるとともに前記制御弁は前記複数のベントホールにそれぞれ対応する複数の開口が形成された弁板を備えてなり、前記アクチュエータは前記弁板を前記リテーナに沿って摺動させて前記複数の開口を前記複数のベントホールに対向させることを特徴とする。
【００１７】
上記構成によれば、リテーナに形成した複数のベントホールと弁板に形成した複数の開口とを組み合わせることにより、弁板を僅かなストローク移動させるだけでベントホールの開度を全閉状態から全開状態まで変化させることが可能となり、アクチュエータの小型化と応答性の向上とが同時に達成される。
【００１８】
また請求項７に記載された発明は、請求項６の構成に加えて、前記複数のベントホールは円周方向に配置されており、前記弁板は前記アクチュエータで往復回転駆動されることを特徴とする。
【００１９】
上記構成によれば、円周方向に配置された複数のベントホールをアクチュエータで往復回転駆動される弁板で開閉するので、モータのような回転出力のアクチュエータを容易に適用することができる。
【００２０】
また請求項８に記載された発明は、請求項６の構成に加えて、前記複数のベントホールは直線方向に配置されており、前記弁板は前記アクチュエータで往復直線駆動されることを特徴とする。
【００２１】
上記構成によれば、直線方向に配置された複数のベントホールをアクチュエータで往復直線駆動される弁板で開閉するので、リニアソレノイドや積層型の圧電素子のような直線出力のアクチュエータを容易に適用することができる。
【００２２】
【発明の実施の形態】
以下、本発明の実施の形態を、添付図面に示した本発明の実施例に基づいて説明する。
【００２３】
図１〜図２６は本発明の一実施例を示すもので、図１は自動車の車室前部の斜視図、図２は図１の２−２線拡大断面図、図３は図２の３−３線断面図、図４は図３の４−４線拡大断面図、図５は運転席用エアバッグ装置の分解斜視図、図６は運転席用エアバッグ装置の変形例を示す、前記図３に対応する図、図７は図６の７−７線拡大断面図、図８は図１の８−８線拡大断面図、図９は図８の９−９線断面図、図１０は図９の１０−１０線矢視図、図１１は助手席用エアバッグ装置の分解斜視図、図１２は助手席用エアバッグ装置の第１変形例を示す、前記図９に対応する図、図１３は図１２の１３−１３線断面図、図１４は図１２の１４−１４線断面図、図１５は助手席用エアバッグ装置の第２変形例を示す、前記図９に対応する図、図１６は図１５の１６−１６線断面図、図１７は図１５の１７−１７線断面図、図１８は図１の１８−１８線拡大断面図、図１９は図１８の１９方向矢視図、図２０は図１９の２０−２０線断面図、図２１は図１９の２１−２１線断面図、図２２は図１９の２２−２２線断面図、図２３はベントホールの開度の制御系を示すブロック図、図２４はベントホールの開度パターンの一例を示す図、図２５は乗員の状態によるベントホールの開度パターンの変化を示す図、図２６は車速によるベントホールの開度パターンの変化を示す図である。
【００２４】
図１に示すように、運転席シート１の前方に配置されたステアリングホイール２の中央部に運転席用エアバッグ装置Ｒｄが設けられ、助手席シート３の前方に配置されたダッシュボード４の上部に助手席用エアバッグ装置Ｒｐが設けられ、運転席シート１および助手席シートのシートバック５，５の内部にそれぞれ側突用エアバッグ装置Ｒｓ，Ｒｓが設けられる。
【００２５】
次に、図２〜図５に基づいて運転席用エアバッグ装置Ｒｄの構造を説明する。
【００２６】
ステアリングホイール２は、ステアリングシャフト１１の後端に相対回転不能に嵌合してナット１２で固定されたステアリングボス１３と、このステアリングボス１３を囲繞するように配置された環状のホイールリム１４と、前記ステアリングボス１３に固定されたフロントカバー１５と、このフロントカバー１５に結合されたリヤカバー１６と、前記フロントカバー１５をホイールリム１４に接続する複数本のスポーク１７…とを備えており、フロントカバー１５およびリヤカバー１６により区画される空間にエアバッグモジュール１８が収納される。
【００２７】
エアバッグモジュール１８は、それをリヤカバー１６の内面に支持するためのリテーナ１９と、高圧ガスを発生するインフレータ２０と、インフレータ２０が発生した高圧ガスにより膨張するエアバッグ２１とから構成される。リテーナ１９の外周に一体に形成された取付フランジ１９１  がリヤカバー１６の内周に一体に形成された取付フランジ１６１  に複数本のリベット２２…で固定され、更にエアバッグ２１の開口部周縁とリング状のホルダー２３とが重ね合わされてリテーナ１９に複数本のボルト２４…で共締めされる。粒状のガス発生剤２５…が充填されたインフレータ２０はエアバッグ２１の内部に収納され、複数本のボルト２６でリテーナ１９に固定される。インフレータ２０の内部には着火剤２７が配置されており、インフレータ２０の内部に延びる点火器２８の先端が前記着火剤２７に臨んでいる。
【００２８】
エアバッグ２１の内部に臨むリテーナ１９に４個のベントホール２９…が直列に形成される。ベントホール２９…の開度を制御する制御弁３０は、短冊状に形成された圧電素子３１を金属板よりなる同形のプロテクタ３２に接着したもので、その一側面が前記ベントホール２９…を覆うように、その一端部がボルト３３，３３でリテーナ１９に固定される。脆くて破損し易い圧電素子３１はプロテクタ３２に接着されることで補強される。前記圧電素子３１は本発明のアクチュエータを構成する。
【００２９】
図２３に示すように、本発明の制御手段を構成するエアバッグ展開制御装置３４には、車両の衝突時の加速度を検出する加速度検出手段３５ａと、乗員の体重、体格、着座姿勢等の乗員状態を検出する乗員状態検出手段３５ｂと、車速を検出する車速検出手段３５ｃとが接続される。乗員状態検出手段３５ｂは、シートクッションに設けられて乗員の体重を検出することにより大人および子供を識別するもの、あるいは赤外線で乗員の座高を検出することにより大人および子供を識別するものから構成される。
【００３０】
エアバッグ展開制御装置３４は、車両の衝突時に所定値以上の加速度が検出されると点火器２８に通電してインフレータ２０を点火し、インフレータ２０が発生するガスで膨張するエアバッグ２１はリヤカバー１６にＨ形に形成された薄肉のティアライン１６２  を破断して車室内に展開する。このとき、エアバッグ展開制御装置３４は乗員状態検出手段３５ｂあるいは車速検出手段３５ｃからの信号に基づいて制御弁３０の圧電素子３１に対する通電を制御し、ベントホール２９…の開度を変化させる。即ち、圧電素子３１への非通電時には、図４（Ａ）に示すように制御弁３０は直線状に延びてベントホール２９…を閉塞し、圧電素子３１に通電すると、図４（Ｂ）に示すように通電量に応じて制御弁３０が湾曲してベントホール２９…を開放する。このように、ベントホール２９…を覆う板状の圧電素子３１に通電して湾曲させるだけの極めて簡単な構造により、ベントホール２９…の開度を精密にかつ無段階に制御することができる。
【００３１】
このとき、ベントホール２９…の複数の開度パターン、つまり時間の経過に対するベントホール２９…の開度変化が予めマップとして記憶されており、エアバッグ展開制御装置３４は前記複数の開度パターンのうちから所定の開度パターンを選択して制御弁３０を制御する。この制御弁３０の開度制御の具体的内容は後から詳述する。
【００３２】
図６および図７は運転席用エアバッグ装置Ｒｄの変形例を示すものであり、その制御弁３０の構造が図２〜図５で説明したものと異なっている。
【００３３】
本変形例の制御弁３０は、リテーナ１９に環状に配置されたベントホール２９…を開閉するもので、ベントホール２９…と同形かつ同数の開口３６１  …を備えた円板状の弁板３６と、この弁板３６を回転駆動する超音波モータ３７とから構成される。弁板３６が図７（Ａ）の位置にあるときに該弁板３６によってベントホール２９…が閉鎖され、弁板３６が図７（Ｂ）の位置にあるときに該弁板３６の開口３６１  によってベントホール２９…が開放される。
【００３４】
このように、環状に配置した複数のベントホール２９…の開度を複数の開口３６１  …を有する弁板３６をモータ３７で回転させて制御するので、弁板３６を１個のベントホール２９の中心角に相当する僅かな角度回転させるだけで、ベントホール２９…の開度を全閉状態から全開状態まで変化させることが可能となり、モータ３７の小型化と応答性の向上とが同時に達成される。
【００３５】
次に、図８〜図１１に基づいて助手席用エアバッグ装置Ｒｐの構造を説明する。
【００３６】
ダッシュボード４の上面に形成された開口４１  に固定されたリッド４１から下方に延びる支持部４１１  …に、エアバッグモジュール４２のリテーナ４３が固定される。リテーナ４３は複数本のボルト４４…で固定されたアッパーリテーナ４５およびロアリテーナ４６から構成されており、アッパーリテーナ４４が複数本のボルト４７…で前記リッド４１の支持部４１１  …に固定される。アッパーリテーナ４５およびロアリテーナ４６の結合部にエアバッグ４８の開口部周縁が挟まれて前記ボルト４７…で共締めされる。リッド４１には、エアバッグ４８が膨張する際に破断する薄肉のティアライン４１２  が形成される。ロアリテーナ４６の底部に一対の取付ブラケット４９，４９を介して円筒状のインフレータ５０が支持される。またロアリテーナ４６の底部に形成された４個のベントホール２９…を開閉すべく、前記運転席用エアバッグ装置Ｒｄのものと同じ構造の制御弁３０が装着される。
【００３７】
加速度検出手段３５ａ、乗員状態検出手段３５ｂおよび車速検出手段３５ｃからの信号が入力されるエアバッグ展開制御装置３４により、インフレータ５０および制御弁３０に対する通電が制御される。即ち、車両の衝突時に加速度検出手段３５ａが所定値以上の加速度を検出すると、エアバッグ展開制御装置３４からの指令でインフレータ５０が点火して高圧ガスが発生し、その圧力で膨張するエアバッグ４８はリッド４１のティアライン４１２  を破断して車室内に展開する。このとき、乗員状態検出手段３５ｂおよび車速検出手段３５ｃからの信号によって制御弁３０の開度が制御される。
【００３８】
図１２〜図１４は助手席用エアバッグ装置Ｒｐの第１変形例を示すものであり、その制御弁３０の構造が図８〜図１１で説明したものと異なっている。
【００３９】
本変形例の制御弁３０は、インフレータ５０の外周に回転自在に支持された横断面円弧状の弁板５１と、この弁板５１を回動させるアクチュエータとしてのモータ３７とを備える。回動する弁板５１がリテーナ４３の内面に沿って摺動すると、そのリテーナ４３に形成された２個のスリット状のベントホール２９，２９が、それらに対応する２個のスリット状の開口５１１  ，５１１  を有する弁板５１によって開閉される。
【００４０】
このように、複数のベントホール２９，２９の開度を複数の開口５１１  ，５１１  を有する弁板５１をモータ３７で回動させて制御するので、弁板５１を１個のベントホール２９の中心角に相当する僅かな角度回転させるだけで、ベントホール２９，２９の開度を全閉状態から全開状態まで変化させることが可能になって応答性が高められる。
【００４１】
図１５〜図１７は助手席用エアバッグ装置Ｒｐの第２変形例を示すものであり、その制御弁３０の構造が図８〜図１１で説明したものと異なっている。
【００４２】
本変形例の制御弁３０は、リテーナ４３の底面に設けた一対のガイドレール４３１  ，４３１  に摺動自在に支持された弁板５２と、この弁板５２をガイドレール４３１  ，４３１  に沿って往復駆動するアクチュエータとしてのリニアソレノイド５３とを備える。弁板５２には一直線上に配置された４個のベントホール２９…と同形かつ同数の開口５２１  …が形成されており、リニアソレノイド５３で駆動された弁板５２の開口５２１  …がベントホール２９…に重なると、該ベントホール２９…が開放される。
【００４３】
このように、一直線上に配置された複数のベントホール２９…の開度を複数の開口５２１  …を有する弁板５２をリニアソレノイド５３で往復動させて制御するので、弁板５２を１個のベントホール２９の長さに相当する僅かな距離を移動させるだけで、ベントホール２９…の開度を全閉状態から全開状態まで変化させることが可能となって応答性が高められる。尚、リニアソレノイド５３に代えて、多数の圧電素子を積層したアクチュエータを採用することも可能である。
【００４４】
次に、図１８〜図２２に基づいて側突用エアバッグ装置Ｒｓの構造を説明する。
【００４５】
シートバック５の右側縁に沿って上下方向に延びるパイプフレーム６１に車体前方に延びる金属製の取付ブラケット６２が溶接により固定されており、この取付ブラケット６２の右側面にエアバッグモジュール６３がボルト６４，６４で固定される。粗毛布よりなる保形材６５がエアバッグモジュール６３の前面からシートバック５の厚さ方向中間部を車体左側に延び、車体左側のパイプフレーム（図示せず）に接続される。パイプフレーム６１の内周にはメッシュ状のスプリング６６が張られており、このスプリング６６の前面と、保形材１６の後面と、取付ブラケット６２の後面とに囲まれた部分にスポンジよりなるパッド６７が装着される。また保形材６５の前面には同じくスポンジよりなるパッド６８が装着される。
【００４６】
シートバック５の前面中央部は第１被覆材６９により覆われるとともに、その第１被覆材６９の左右両側部および上部は第２被覆材７０により覆われ、また第２被覆材７０に連なるシートバック５の左右両側面および上面は第３被覆材７１により覆われ、更にシートバック５の後面は第４被覆材７２により覆われる。第１被覆材６９と第２被覆材７０とは縫製部７３において縫製され、また第２被覆材７０と第３被覆材７１とは縫製部７４において縫製される。
【００４７】
エアバッグモジュール６３は、合成樹脂で一体に形成されたリテーナ７５と、その内部に支持されたホルダー７７とを備えており、これらリテーナ７５およびホルダー７７は前記ボルト６４，６４で取付ブラケット６２に共締めされる。リテーナ７５は車体右側に向けて開口するトレー状の本体部７５１  と、この本体部７５１  の後縁にヒンジ部７５２  を介して接続された蓋部７５３  とを備えており、本体部７５１  の上縁、前縁および下縁に設けた５個の係止爪７５４  …を蓋部７５３  の上縁、前縁および下縁に設けた５個の係止孔７５５  …に係止することにより、本体部７５１  の開口を覆うように蓋部７５３  が固定される。
【００４８】
折り畳んだエアバッグ７８がプロテクトカバー７９により包装される。エアバッグ７８の開口部周縁とプロテクトカバー７９の両端とがリテーナ７５およびホルダー７７に挟まれて固定され、これによりホルダー７７に固定されたインフレータ８０がエアバッグ７８の内部に収納される。尚、エアバッグ７８の膨張時にプロテクトカバー７９は容易に破断するため、その膨張を妨げることはない。
【００４９】
ホルダー７７に形成された開口７７１  と、リテーナ７５の本体部７５１  に形成された４個のベントホール２９…と、取付ブラケット６２に形成された開口６２１  と、パッド６８に形成されたガス通路６８１  と、シートバック５の後面側に形成された空間８１とを介して、エアバッグ７８の内部がシートバック５の外部に連通する。また前記４個のベントホール２９…を開度を制御すべく、前記運転席用エアバッグ装置Ｒｄおよび前記助手席用エアバッグ装置Ｒｐのものと同じ構造の制御弁３０がリテーナ７５の内部に装着される。
【００５０】
加速度検出手段３５ａ、乗員状態検出手段３５ｂおよび車速検出手段３５ｃからの信号が入力されるエアバッグ展開制御装置３４により、インフレータ８０および制御弁３０に対する通電が制御される。而して、車両の衝突時にインフレータ８０がガスを発生すると、リテーナ７５の内部でエアバッグ７８が膨張する。エアバッグ７８が膨張する圧力がリテーナ７５の蓋部７５３  に作用すると、係止爪７５４  …が係止孔７５５  …から外れて蓋部７５３  がヒンジ部７５２  回りに回転し、本体部７５１  が開放される。蓋部７５３  が開く圧力がシートバック５の第３被覆材７１に伝達されると、縫製部７４が破断して第２被覆材７０と第３被覆材７１とが分離し、その隙間を通過したエアバッグ７８がフロントドアの内面に沿うように前方に展開する。
【００５１】
次に、運転席用エアバッグ装置Ｒｄ、助手席用エアバッグ装置Ｒｐおよび側突用エアバッグ装置Ｒｓ，Ｒｓのベントホール２９…の開閉制御の内容を、図２４〜図２６を参照して具体的に説明する。
【００５２】
図２４（Ａ）の横軸はエアバッグ２１，４８，７８が展開を完了してからの時間を示し、縦軸は乗員がエアバッグ２１，４８，７８から受ける荷重の大きさを示している。また図２４（Ｂ）の横軸は同じくエアバッグ２１，４８，７８が展開を完了してからの時間を示し、縦軸はベントホール２９…の開度（全開状態を１００％としたもの）を示している。ここで破線はエアバッグ２１，４８，７８に一定面積のベントホールを設けた従来のものに対応し、実線はリテーナ１９に形成したベントホール２９…の開度を制御弁３０で制御する本実施例に対応する。
【００５３】
同図から明らかなように、本実施例では、時刻ｔ０  〜ｔ１  の領域ａでベントホール２９…の開度を小さく抑えてエアバッグ２１，４８，７８からガスが排出され難くすることにより、衝突の慣性で前進する乗員がエアバッグ２１，４８，７８を押し始める初期の拘束荷重を高めている。続く時刻ｔ１  〜ｔ２  の領域ｂでベントホール２９…の開度を増加させ、時刻ｔ２  〜ｔ３  の領域ｃでベントホール２９…の開度を大きな値に保持することにより、乗員がエアバッグ２１，４８，７８から受ける拘束荷重の最大値を低減して乗員を柔らかく拘束している。続く時刻ｔ３  〜ｔ４  の領域ｄでベントホール２９…の開度を減少させ、時刻ｔ４  〜の領域ｅでベントホール２９…の開度を小さく抑えてエアバッグ２１，４８，７８からガスが排出され難くすることにより、エアバッグ２１，４８，７８が早期に収縮するのを防止して乗員がステアリングホイール、ダッシュボード、センターピラー等に二次衝突する衝撃を充分に緩和している。
【００５４】
このように、ベントホール２９…の開度を予め設定した開度パターンに応じて制御するので、乗員がエアバッグ２１，４８，７８から受ける荷重の特性を任意に制御して理想の特性に近づけることができる。
【００５５】
上記ベントホール２９…の開度パターンは、乗員状態検出手段３５ｂの検出結果に応じて変更される。即ち、図２５に示すように、乗員が体重の小さい子供である場合には前記領域ｃにおけるベントホール２９…の全開開度が１００％に設定されるが、乗員が体重の大きい大人である場合にはその体重が増加するのに応じて全開開度が１００％から例えば７０％まで漸減される。その理由は、乗員の体重が大きい場合にベントホール２９…の全開開度が大き過ぎると、乗員がエアバッグ２１，４８，７８を圧縮する荷重でベントホール２９…から排出されるガス量が多くなり過ぎ、エアバッグ２１，４８，７８を膨張状態に維持できなくなる可能性があるためである。
【００５６】
上記ベントホール２９…の開度パターンは、車速検出手段３５ｃの検出結果に応じて変更される。即ち、図２６に示すように、衝突時の車速が小さい場合には必要な拘束力も小さくなるため、ベントホール２９…の全開開度が大きく設定され、かつその全開開度を最後まで維持される。これにより、乗員がエアバッグ２１，４８，７８から受ける拘束荷重の最大値を低減して乗員を一層柔らかく拘束することができる。
【００５７】
以上、本発明の実施例を詳述したが、本発明はその要旨を逸脱しない範囲で種々の設計変更を行うことが可能である。
【００５８】
【発明の効果】
以上のように請求項１に記載された発明によれば、制御手段からの指令によりアクチュエータで制御弁を開閉駆動し、インフレータの点火後にベントホールの開度を小さな値に抑えることで、エアバッグからガスが排出され難くして衝突の慣性で前進する乗員がエアバッグを押し始める初期の拘束荷重を高め、続いてベントホールの開度を大きな値へと増加させた後に所定時間だけ前記大きな開度を保持することで、乗員がエアバッグから受ける拘束荷重の最大値を低減して乗員を柔らかく拘束し、続いてベントホールの開度を減少させて小さい値に抑えることで、エアバッグからガスが排出され難くしてエアバッグが早期に収縮するのを防止し、乗員がステアリングホイール、ダッシュボード、センターピラー等に二次衝突する衝撃を充分に緩和することができる。
【００５９】
また請求項２に記載された発明によれば、乗員の状態に応じた開度パターンでベントホールの開度を制御することができるので、エアバッグの展開状態を乗員の体重の大小や着座状態の変化に対応して最適に設定することができる。
【００６０】
また請求項３に記載された発明によれば、車速が大きい場合に所定の開度パターンを選択するので、乗員を確実に拘束することが必要な高車速時にエアバッグの展開状態を最適に設定することができる。
【００６１】
また請求項４に記載された発明によれば、アクチュエータを圧電素子で構成することにより、モータやソレノイド等の他のアクチュエータに比べて部品点数の少ない簡単な構造で、かつ低コストでベントホールを開閉駆動することができる。
【００６２】
また請求項５に記載された発明によれば、板状の圧電素子でアクチュエータを構成することにより、そのアクチュエータの構造が極めて単純になるだけでなく、圧電素子そのものを弁体として利用することが可能となり、部品点数の一層の削減とコストの一層の削減とが可能となる。
【００６３】
また請求項６に記載された発明によれば、リテーナに形成した複数のベントホールと弁板に形成した複数の開口とを組み合わせることにより、弁板を僅かなストローク移動させるだけでベントホールの開度を全閉状態から全開状態まで変化させることが可能となり、アクチュエータの小型化と応答性の向上とが同時に達成される。
【００６４】
また請求項７に記載された発明によれば、円周方向に配置された複数のベントホールをアクチュエータで往復回転駆動される弁板で開閉するので、モータのような回転出力のアクチュエータを容易に適用することができる。
【００６５】
また請求項８に記載された発明によれば、直線方向に配置された複数のベントホールをアクチュエータで往復直線駆動される弁板で開閉するので、リニアソレノイドや積層型の圧電素子のような直線出力のアクチュエータを容易に適用することができる。
【図面の簡単な説明】
【図１】自動車の車室前部の斜視図
【図２】図１の２−２線拡大断面図
【図３】図２の３−３線断面図
【図４】図３の４−４線拡大断面図
【図５】運転席用エアバッグ装置の分解斜視図
【図６】運転席用エアバッグ装置の変形例を示す、前記図３に対応する図
【図７】図６の７−７線拡大断面図
【図８】図１の８−８線拡大断面図
【図９】図８の９−９線断面図
【図１０】図９の１０−１０線矢視図
【図１１】助手席用エアバッグ装置の分解斜視図
【図１２】助手席用エアバッグ装置の第１変形例を示す、前記図９に対応する図
【図１３】図１２の１３−１３線断面図
【図１４】図１２の１４−１４線断面図
【図１５】助手席用エアバッグ装置の第２変形例を示す、前記図９に対応する図
【図１６】図１５の１６−１６線断面図
【図１７】図１５の１７−１７線断面図
【図１８】図１の１８−１８線拡大断面図
【図１９】図１８の１９方向矢視図
【図２０】図１９の２０−２０線断面図
【図２１】図１９の２１−２１線断面図
【図２２】図１９の２２−２２線断面図
【図２３】ベントホールの開度の制御系を示すブロック図
【図２４】ベントホールの開度パターンの一例を示す図
【図２５】乗員状態によるベントホールの開度パターンの変化を示す図
【図２６】車速によるベントホールの開度パターンの変化を示す図
【符号の説明】
１９        リテーナ
２０        インフレータ
２１        エアバッグ
２９        ベントホール
３０        制御弁
３１        圧電素子（アクチュエータ）
３４        エアバッグ展開制御装置（制御手段）
３５ｂ      乗員状態検出手段
３５ｃ      車速検出手段
３６        弁板
３６１        開口
３７        モータ（アクチュエータ）
４３        リテーナ
４８        エアバッグ
５０        インフレータ
５１        弁板
５１１        開口
５２        弁板
５２１        開口
５３        リニアソレノイド（アクチュエータ）
７５        リテーナ
７８        エアバッグ
８０        インフレータ
【図１】
0003566079.tif 000002
【図２】
0003566079.tif 000003
【図３】
0003566079.tif 000004
【図４】
0003566079.tif 000005
【図５】
0003566079.tif 000006
【図６】
0003566079.tif 000007
【図７】
0003566079.tif 000008
【図８】
0003566079.tif 000009
【図９】
0003566079.tif 000010
【図１０】
0003566079.tif 000011
【図１１】
0003566079.tif 000012
【図１２】
0003566079.tif 000013
【図１３】
0003566079.tif 000014
【図１４】
0003566079.tif 000015
【図１５】
0003566079.tif 000016
【図１６】
0003566079.tif 000017
【図１７】
0003566079.tif 000018
【図１８】
0003566079.tif 000019
【図１９】
0003566079.tif 000020
【図２０】
0003566079.tif 000021
【図２１】
0003566079.tif 000022
【図２２】
0003566079.tif 000023
【図２３】
0003566079.tif 000024
【図２４】
0003566079.tif 000025
【図２５】
0003566079.tif 000026
【図２６】
0003566079.tif 000027